(57)【特許請求の範囲】
【請求項１】
冷却装置の水冷ゾーンを通過させる厚鋼板の冷却を制御する方法であって、
過去の製造実績から、冷却される前記厚鋼板の平坦度合格率が所定値以上になる前記冷却装置の上下水量比を決定する工程と、
決定された前記上下水量比、および、これ以外の製造条件から、前記厚鋼板の幅方向における冷却後の温度分布を予測する工程と、
予測した前記冷却後の温度分布の幅が一定値以下になる、前記厚鋼板の幅方向における冷却水の流量分布を決定する工程と、
決定された前記上下水量比、および、決定された前記冷却水の流量分布となるように、前記冷却装置へと供給される冷却水の水量を、前記厚鋼板の冷却中に変動させるように制御する工程と、
を有する、厚鋼板の冷却制御方法。
【請求項２】
前記過去の製造実績に関する情報が保存されている記憶手段から、冷却される前記厚鋼板の操業条件に近い製造実績に関する情報を抽出し、抽出した製造実績に関する情報と平坦度合格率との関係を求め、求めた前記関係から前記上下水量比を決定する、請求項１に記載の厚鋼板の冷却制御方法。
【請求項３】
冷却される前記厚鋼板の操業条件に近い製造実績に関する前記情報として、前後段冷却比を抽出した上で、該前後段冷却比を含む、冷却される前記厚鋼板の操業条件に近い製造実績に関する前記情報と、平坦度合格率との関係を求め、求めた関係から前記上下水量比を決定する、請求項２に記載の厚鋼板の冷却制御方法。
【請求項４】
厚鋼板を仕上圧延する工程と、
前記仕上圧延する工程の後に前記厚鋼板を冷却する工程と、を有し、
前記冷却する工程で、請求項１〜３のいずれか１項に記載の厚鋼板の冷却制御方法が適用されることを特徴とする、厚鋼板の製造方法。
【請求項５】
仕上圧延された厚鋼板を冷却する冷却装置へと供給される冷却水量を制御する冷却制御装置であって、
過去の製造実績に関する情報を保存する記憶部と、
前記記憶部に保存されている過去の製造実績から、冷却される前記厚鋼板の平坦度合格率が所定値以上になる前記冷却装置の上下水量比を決定する上下水量比決定部と、
決定した前記上下水量比、および、これ以外の製造条件から、前記厚鋼板の幅方向における冷却後の予測温度の分布を求める温度分布予測部と、
前記温度分布予測部で求めた前記冷却後の予測温度の分布幅が一定値以下になる、前記厚鋼板の幅方向における冷却水の流量分布を決定する流量分布決定部と、
前記上下水量比決定部で決定された前記上下水量比、および、前記流量分布決定部で決定された前記冷却水の流量分布となるように、前記冷却装置へと供給される冷却水の水量を、前記厚鋼板の冷却中に変動させるように制御する制御部と、
を有する、厚鋼板の冷却制御装置。
【請求項６】
前記記憶部から抽出した、冷却される前記厚鋼板の操業条件に近い製造実績に関する情報と、平坦度合格率との関係を求め、求めた前記関係を用いて、前記上下水量比決定部で前記上下水量比が決定される、請求項５に記載の厚鋼板の冷却制御装置。
【請求項７】
冷却される前記厚鋼板の操業条件に近い製造実績に関する前記情報として、前後段冷却比を抽出した上で、該前後段冷却比を含む、冷却される前記厚鋼板の操業条件に近い製造実績に関する前記情報と、平坦度合格率との関係を求め、求めた関係を用いて、前記上下水量比決定部で前記上下水量比が決定される、請求項５又は６に記載の厚鋼板の冷却制御装置。
【請求項８】
厚鋼板を仕上圧延する圧延機と、該圧延機で圧延された厚鋼板を冷却する冷却装置と、該冷却装置の動作を制御する冷却制御装置と、を備え、
前記冷却制御装置が、請求項５〜７のいずれか１項に記載の厚鋼板の冷却制御装置である、厚鋼板の製造装置。
【発明の詳細な説明】
【技術分野】
【０００１】
本発明は、熱間圧延された厚鋼板の冷却形態を制御する冷却制御方法およびこれを用いる厚鋼板の製造方法、並びに、熱間圧延された厚鋼板の冷却形態を制御する冷却制御装置およびこれを用いる厚鋼板の製造装置に関する。
【背景技術】
【０００２】
熱間圧延された厚鋼板を加速冷却し、焼入れ効果などを得るようにした厚鋼板の製造ラインが、広く厚鋼板の製造に使用されている。この熱間圧延された厚鋼板の冷却は、厚鋼板の材質造り込みの観点から非常に重要な工程であり、その特性を決定する要因としては、厚鋼板の冷却開始温度、厚鋼板の冷却速度、および、厚鋼板の冷却停止温度を挙げることができる。
【０００３】
上記の要因のうち、厚鋼板の冷却開始温度は仕上圧延工程の仕上温度で決まり、厚鋼板の冷却速度は所望の材質造り込みにおいて、製造する厚鋼板毎に概ね指示されている。したがって、実プロセスにおける冷却制御においては、厚鋼板の冷却停止温度が最も重要である。また、均一な特性を持った厚鋼板を製造するためには、厚鋼板の長手方向および幅方向における冷却停止温度の温度むらが極力小さいことが求められる。
【０００４】
従来から、例えば特許文献１等のように、冷却しつつ通板されている厚鋼板の温度を計測し、冷却停止温度が所望の温度になるように厚鋼板に噴射する冷却水量を変動させて、温度誤差を修正するようにした冷却制御方法が開示されている。
また、特許文献２や特許文献３には、厚鋼板の長手方向の温度むらを抑制するため、厚鋼板の搬送速度を制御する方法や、冷却装置の水冷条件を最適化する方法が提案されている。
また、特許文献４には、厚鋼板の平坦度を確保するため、厚鋼板の上下面温度差を検出し、検出した上下面温度差に基づいて上下注水量比を修正制御する方法が提案されている。
【先行技術文献】
【特許文献】
【０００５】
【特許文献１】特公平７−４１３０３号公報
【特許文献２】特開２００６−２８１３００号公報
【特許文献３】特開２００４−２４４７２１号公報
【特許文献４】特公平６−８９４１１号公報
【発明の概要】
【発明が解決しようとする課題】
【０００６】
厚鋼板の特性を均一化するためには、冷却に際して厚鋼板の長手方向および幅方向の温度むらを抑制し、且つ、冷却後の厚鋼板の平坦度を高めることが必要になる。しかしながら、従来の技術では、厚鋼板の長手方向の温度むら、厚鋼板の幅方向の温度むら、および、冷却後の厚鋼板の平坦度の相関について検討していないため、厚鋼板の長手方向および幅方向の温度むらを抑制しつつ厚鋼板の平坦度を高める冷却制御を行うことは困難であった。
【０００７】
本発明は、上記問題点に鑑みてなされたものであって、長手方向および幅方向の温度むらを抑制するとともに、冷却後の厚鋼板の平坦度を高めることが可能な、厚鋼板の冷却制御方法および冷却制御装置並びに厚鋼板の製造方法および製造装置を提供することを課題
とする。
【課題を解決するための手段】
【０００８】
発明者らは鋭意研究した結果、以下の知見を得て本発明を完成させた。
１）厚鋼板の長手方向の温度むら、厚鋼板の幅方向の温度むら、および、冷却後の厚鋼板の平坦度には相関があり、単純にそれぞれを調整しただけでは、適切な冷却制御を行うことは困難である。
２）厚鋼板の冷却時に、上下水量比（定義は後述）を変えることにより、冷却後の厚鋼板の平坦度が変化する。冷却後の厚鋼板の平坦度を高めるためには、上下水量比を調整することが有効である。また、前後段冷却比（定義は後述）を変えることでも、冷却後の厚鋼板の平坦度が変化する。冷却後の厚鋼板の平坦度を高めるためには、前後段冷却比の影響も加味して上下水量比を調整することが、さらに効果的である。
３）冷却実験および数値実験（シミュレーション）により、冷却装置の設定因子が厚鋼板の幅方向の温度むらに与える影響の度合いをモデル化することにより、厚鋼板の幅方向の温度むらを予測することができる。このとき、冷却後の厚鋼板の平坦度を確保するために、決定した上下水量比を冷却装置の設定因子の一つとして利用することにより、冷却後の厚鋼板の平坦度を確保しつつ、厚鋼板の幅方向の温度むらが所定値以下となるように、予測結果を用いて厚鋼板の板幅方向の流量分布パターン（以下において、「流量クラウン量」ということがある。）を決定することが可能になる。
４）さらに、上下水量比および流量クラウン量を基に、厚鋼板を冷却する冷却装置の各冷却ゾーンにおける水量密度を、厚鋼板の冷却中に冷却水の水量を変動させるように制御（以下において、「ダイナミック制御」ということがある。）することにより、厚鋼板の板幅中央部における長手方向の温度むらを高精度に制御することが可能になる。
【０００９】
以下、本発明について説明する。
【００１０】
本発明の第１の態様は、冷却装置の水冷ゾーンを通過させる厚鋼板の冷却を制御する方法であって、過去の製造実績から、冷却される厚鋼板の平坦度合格率が所定値以上になる冷却装置の上下水量比を決定する工程と、決定された上下水量比、および、これ以外の製造条件から、厚鋼板の幅方向における冷却後の温度分布を予測する工程と、予測した冷却後の温度分布の幅が一定値以下になる、厚鋼板の幅方向における冷却水の流量分布を決定する工程と、決定された上下水量比、および、決定された冷却水の流量分布となるように、冷却装置へと供給される冷却水の水量を、厚鋼板の冷却中に変動させるように制御する工程と、を有する、厚鋼板の冷却制御方法である。
【００１１】
ここに、「冷却装置の上下水量比」とは、冷却装置を用いて冷却される厚鋼板の上面側に配置されている冷却ヘッダーへと供給される冷却水量をα、当該厚鋼板の下面側に配置されている冷却ヘッダーへと供給される冷却水量をβとするとき、ＲＴＢ＝α／βで導かれるＲＴＢをいう。また、「これ以外の製造条件」には、具体的には、冷却装置の入側における厚鋼板の表面温度の実績値、冷却装置の出側における厚鋼板の表面温度の実績値、厚鋼板の板厚、厚鋼板の板幅、厚鋼板の搬送速度、冷却装置の各冷却ゾーンにおける冷却水の温度、冷却装置の各冷却ゾーンにおける冷却水の水量密度、厚鋼板の幅方向における冷却水の流量分布、および、冷却装置の前後段冷却比からなる群より選択された一以上が含まれる。また、「冷却装置の前後段冷却比」とは、冷却装置の複数ある冷却ゾーンを、厚鋼板の搬送方向上流側の前段冷却ゾーンと、当該前段冷却ゾーンに隣接する厚鋼板の搬送方向下流側の後段冷却ゾーンとに分けたとき、前段冷却ゾーンに供給される冷却水の水量密度をγ、後段冷却ゾーンに供給される冷却水の水量密度をθとするとき、ＲＦＢ＝γ／θで導かれるＲＦＢをいう。
【００１２】
また、上記本発明の第１の態様において、過去の製造実績に関する情報が保存されている記憶手段から、冷却される厚鋼板の操業条件に近い製造実績に関する情報を抽出し、抽出した製造実績に関する情報と平坦度合格率との関係を求め、求めた関係から上下水量比を決定しても良い。ここに、本発明の第１の態様、および、以下に示す本発明の他の態様において、保存されている過去の製造実績が、冷却される厚鋼板の操業条件に近いか否かは、過去の製造実績の操業条件を表す情報ベクトルと、冷却される厚鋼板の操業条件を表す情報ベクトルとの間の距離関数を定義して、当該距離の大きさに基づいて判断すること
ができる。
【００１３】
また、抽出した製造実績に関する情報と平坦度合格率との関係から上下水量比を決定する上記本発明の第１の態様において、冷却される厚鋼板の操業条件に近い製造実績に関する情報として前後段冷却比を抽出した上で、該前後段冷却比を含む、冷却される厚鋼板の操業条件に近い製造実績に関する情報と、平坦度合格率との関係を求め、求めた関係から上記上下水量比を決定しても良い。
【００１４】
本発明の第２の態様は、厚鋼板を仕上圧延する工程と、該仕上圧延する工程の後に厚鋼板を冷却する工程と、を有し、冷却する工程で、上記本発明の第１の態様にかかる厚鋼板の冷却制御方法が適用されることを特徴とする、厚鋼板の製造方法である。
【００１５】
本発明の第３の態様は、仕上圧延された厚鋼板を冷却する冷却装置へと供給される冷却水量を制御する冷却制御装置であって、過去の製造実績に関する情報を保存する記憶部と、該記憶部に保存されている過去の製造実績から、冷却される厚鋼板の平坦度合格率が所定値以上になる冷却装置の上下水量比を決定する上下水量比決定部と、決定した上下水量比、および、これ以外の製造条件から、厚鋼板の幅方向における冷却後の予測温度の分布を求める温度分布予測部と、温度分布予測部で求めた冷却後の予測温度の分布幅が一定値以下になる、厚鋼板の幅方向における冷却水の流量分布を決定する流量分布決定部と、上下水量比決定部で決定された上下水量比、および、流量分布決定部で決定された冷却水の流量分布となるように、冷却装置へと供給される冷却水の水量を、厚鋼板の冷却中に変動させるように制御する制御部と、を有する、厚鋼板の冷却制御装置である。
【００１６】
また、上記本発明の第３の態様において、記憶部から抽出した、冷却される厚鋼板の操業条件に近い製造実績に関する情報と、平坦度合格率との関係を求め、求めた関係を用いて、上下水量比決定部で上下水量比を決定しても良い。
【００１７】
また、抽出した製造実績に関する情報と平坦度合格率との関係を用いて上下水量比を決定する上記本発明の第３の態様において、冷却される厚鋼板の操業条件に近い製造実績に関する情報として前後段冷却比を抽出した上で、該前後段冷却比を含む、冷却される厚鋼板の操業条件に近い製造実績に関する情報と、平坦度合格率との関係を求め、求めた関係を用いて、上記上下水量比決定部で上記上下水量比を決定しても良い。
【００１８】
本発明の第４の態様は、厚鋼板を仕上圧延する圧延機と、該圧延機で圧延された厚鋼板を冷却する冷却装置と、該冷却装置の動作を制御する冷却制御装置と、を備え、該冷却制御装置が、上記本発明の第３の態様にかかる厚鋼板の冷却制御装置である、厚鋼板の製造装置である。
【発明の効果】
【００１９】
本発明によれば、厚鋼板の冷却停止温度に関して、冷却装置の設定因子が厚鋼板の幅方向の温度むらに与える影響度合いをモデル化し、そのモデルを用いて幅方向の温度むらが所定値以下となるような設定因子を逆算し、また、板幅中央部の長手方向の温度むらを抑制するために、各冷却ゾーンの水量密度をダイナミック制御し、かつ、冷却後の厚鋼板の平坦度に影響を与える上下水量比の設定に際しては、平坦度良否の過去データベースからその時点で最も平坦度良品率が高くなる上下水量比を求めることが可能になる。そのため、本発明によれば、長手方向および幅方向の温度むらを抑制するとともに、冷却後の厚鋼板の平坦度を高めることが可能な、厚鋼板の冷却制御方法および冷却制御装置並びに厚鋼板の製造方法および製造装置を提供することができる。
【図面の簡単な説明】
【００２０】
【図１】本発明の厚鋼板の冷却制御装置１０を説明する図である。
【図２】本発明の厚鋼板の冷却制御方法を説明する図である。
【図３】ダイナミック制御における温度計算の概要を説明する図である。
【図４】ダイナミック制御の効果を説明する図である。
【図５】幅方向流量クラウン量の調整形態を説明する図である。
【図６】水冷熱伝達モデルの概要を説明する図である。
【図７】幅方向流量クラウン量の制御結果を説明する図である。
【図８】上下水量比と平坦度合格率との関係を説明する図である。
【図９Ａ】上下水量比と平坦度合格率との関係を説明する図である。
【図９Ｂ】上下水量比と平坦度合格率との関係を説明する図である。
【図９Ｃ】２つのパターンにおける前後段冷却比と冷却後平坦度が良好であった上下水量比との関係を説明する図である。
【図１０】冷却制御の概要を説明する図である。
【図１１】本発明の厚鋼板の製造方法を説明する図である。
【図１２】本発明の厚鋼板の製造装置１００を説明する図である。
【発明を実施するための形態】
【００２１】
以下、図面を参照しつつ、本発明の実施の形態について説明する。なお、以下に示す形
態は本発明の例示であり、本発明は以下に示す形態に限定されない。
【００２２】
図１は、本発明の厚鋼板の冷却制御方法を実施可能であり、且つ、本発明の厚鋼板の製造装置に備えられる、本発明の厚鋼板の冷却制御装置１０を説明する図である。図１には、供給される冷却水量が冷却制御装置１０によって制御される冷却装置２０、および、該冷却装置２０によって冷却される厚鋼板１等も示しており、冷却制御装置１０よりも厚鋼板１の搬送方向上流側には、不図示の圧延機が備えられている。
【００２３】
冷却制御装置１０は、記憶部１１と、上下水量比決定部１２と、トラッキング部１３と、厚鋼板移動速度予測部１４と、冷却ゾーン通過所要時間計算部１５と、現在温度計算部１６と、温度分布予測部１７と、流量分布決定部１８と、制御部１９と、を有している。
【００２４】
記憶部１１には、厚鋼板の過去の製造実績に関する情報が記憶されており、この過去の製造実績に関する情報を用いて、上下水量比決定部１２で、厚鋼板１の平坦度合格率が所定値以上になる冷却装置２０の上下水量比が決定される。
【００２５】
トラッキング部１３は、厚鋼板１の先端から長手方向（厚鋼板１の長さ方向。図１の紙面右側（先端側）から左側（尾端側）の方向。）に一定の間隔で設けられた仮想的な制御点（Ｐ１〜Ｐｎ）の位置をトラッキングする。具体的には、ソフトウエアにより、トラッキング処理が行われる。
【００２６】
冷却装置２０の入側における厚鋼板１の温度は、温度計２によって測定され、冷却装置２０の出側における厚鋼板１の温度は、温度計３によって測定される。温度計２、３としては、放射温度計を用いることができる。放射温度計を用いる場合、板幅中央部の温度を測定すれば良い。温度計２、３としては、板幅方向の温度分布を測定可能な走査式の幅温度計を用いることも可能である。なお、図１では温度計２，３は厚鋼板の上面を測温する形態となっているが、下面を測温する形態でもよい。
【００２７】
厚鋼板移動速度予測部１４は、トラッキング部１３からの制御点の位置情報を受け取り、厚鋼板１の移動速度を予測する手段である。具体的には、冷却前に厚鋼板１の製造条件（冷却開始温度、冷却速度、冷却停止温度等）に基づいて予め速度パターンを決定した上で、このパターンに基づいて速度予測を行う。
【００２８】
冷却ゾーン通過所要時間計算部１５は、厚鋼板移動速度予測部１４からの予測速度情報を受け取り、冷却装置２０の各冷却ゾーン（Ａ、Ｂ、Ｃ、Ｄ）を厚鋼板１が通過するのに必要な時間を計算する。この時間は、各冷却ゾーンの距離と予測した厚鋼板の移動速度とから得ることができる。
【００２９】
現在温度計算部１６は、トラッキング部１３からの制御点の位置情報、および、温度計２からの温度情報から、冷却装置２０の入口部に先行した制御点の現時点における温度を計算する。具体的には、各制御点における水冷熱伝達モデルによる熱伝達率の計算、および、該熱伝達率を用いた各制御点における現在温度の計算が行われる。
【００３０】
温度分布予測部１７は、上下水量比決定部１２で決定された上下水量比、および、これ以外の製造条件から、厚鋼板１の幅方向における冷却後の予測温度の分布を求める。「これ以外の製造条件」には、温度計２によって測定された厚鋼板１の表面温度の実績値、厚鋼板１の板厚、厚鋼板１の板幅、厚鋼板１の板長、厚鋼板１の搬送速度（移動速度）、冷却装置２０の各冷却ゾーンにおける冷却水の温度、冷却装置２０の各冷却ゾーンにおける冷却水の水量密度、および、厚鋼板１の幅方向における冷却水の流量分布、からなる群より選択された一以上が含まれる。温度分布予測部１７における温度の計算方法は、現在温
度計算部１６における計算方法と同様である。
【００３１】
流量分布決定部１８は、厚鋼板１の冷却後の予測温度、および、目標温度情報に基づいて、温度分布予測部１７で求めた冷却後の予測温度の分布幅が一定値以下になる、厚鋼板１の幅方向における冷却水の流量分布を決定する。温度分布予測部１７で幅方向における冷却後の温度分布を予測計算する際には、幅方向の温度むらを低減する制御が反映されていないため、幅方向の温度むらが生じてしまう。そこで、幅方向の温度むらを低減するために、流量分布決定部１８で、幅方向における冷却水の流量分布を決定する。具体的には、冷却水の流量分布を変えた２つの幅方向温度分布を、温度分布予測部１７から得て、これらについて収束計算を行うことで、幅方向の温度むらが最小になる冷却水の流量分布を決定することができる。
【００３２】
制御部１９は、上下水量比決定部１２で決定された上下水量比、および、流量分布決定部１８で決定された冷却水の流量分布となるように、冷却装置２０へと供給される冷却水の水量を制御する。具体的には、冷却装置２０へと供給される冷却水が流れる配管に設置されたバルブの動作を制御することにより行われる。
【００３３】
図２は、本発明の厚鋼板の冷却制御方法を説明する図である。図１および図２を参照しつつ、本発明の厚鋼板の冷却制御方法について説明する。なお、ここでは、冷却制御装置１０を用いて制御する形態について説明するが、本発明の厚鋼板の冷却制御方法は、同様に冷却することができれば、その形態はこれに限定されない。
図２に示したように、本発明の厚鋼板の冷却制御方法は、冷却装置の上下水量比を決定する工程Ｓ１１と、厚鋼板の幅方向における冷却後の温度分布を予測する工程Ｓ１２と、当該工程Ｓ１２で予測した冷却後の温度分布の幅が一定値以下になる厚鋼板の幅方向における冷却水の流量分布を決定する工程Ｓ１３と、工程Ｓ１１で決定された上下水量比、および、工程Ｓ１３で決定された冷却水の流量分布となるように、冷却装置へと供給される冷却水の水量を、厚鋼板の冷却中に変動させるように制御する工程Ｓ１４と、を有している。工程Ｓ１１は上下水量比決定部１２で行われ、工程Ｓ１２は温度分布予測部１７で行われ、工程Ｓ１３は流量分布決定部１８で行われ、工程Ｓ１４は制御部１９で行われる。
【００３４】
＜長手方向温度分布改善＞
仕上圧延された厚鋼板１は、冷却装置２０において水冷され、所望の水冷停止温度まで冷却される。この際、冷却装置２０の入側に設置されている温度計２によって、厚鋼板１の上表面温度が測定される。図１に示した形態では、仮想的な制御点（Ｐ１〜Ｐｎ）を厚鋼板１の先端から一定の距離間隔で当該の厚鋼板１上に設けており、仮想的な制御点の初期温度は、温度計２で測定した温度とする。なお、図１では、Ｐ１が厚鋼板の最先端より内側にある形態となっているが、Ｐ１を厚鋼板の最先端にとっても良い。
【００３５】
冷却装置２０へと供給される冷却水量を制御する際には、仮想的な制御点について、冷却装置２０内の位置およびその制御点の温度をトラッキングする。現時点（時刻ｔとする）での制御点の位置は、時刻ｔまでの厚鋼板１の搬送速度の実績から求めることができ、時刻ｔよりも後の制御点の位置は、搬送速度の予測値を用いて予測する。同様に、現時点（時刻ｔ）での制御点の温度は、冷却装置２０内における時刻ｔまでの水冷実績に基づいて計算され、冷却装置２０の出口における厚鋼板１の温度（以下において、「出口温度」ということがある。）は、冷却装置２０の各冷却ゾーンの通過所要時間を予測する計算の結果と、現時点での制御点の温度とから、鋼板温度計算モデルに基づいて予測する。
【００３６】
このようにして算出された出口温度の予測値と目標温度である水冷停止温度とが一致するように、冷却装置２０へと供給される冷却水の最適水量を求め、冷却装置２０の冷却ゾーン毎に流量指令を出す。この流量指令の制御は、冷却装置２０の入側に配置された温度計２の直下で制御点を一定間隔で生成し、この制御点をトラッキングしながら、制御点の出口温度が目標温度となるように、冷却装置２０へと供給される冷却水の水量をダイナミックに設定する（厚鋼板１の冷却中に冷却水の水量を変動させる）ので、ダイナミック制御と呼ぶ。
【００３７】
図３は、ダイナミック制御を実施した際の、厚鋼板１の各制御点の温度変化を示す図である。図３に示したように、冷却装置２０の入口では高温だった厚鋼板１は、その先端（Ｐ１側）から、冷却装置２０の出口で目標温度になるように冷却されて、鋼板温度が低下する。
【００３８】
図４に、ダイナミック制御を行った場合と、ダイナミック制御を行わずに予め与えられた厚鋼板１の冷却条件から冷却装置２０による水冷条件を事前に決定して制御した場合との比較を示す。図４は、冷却装置２０の入口における温度変動を±１５℃、変動ピッチを１０ｍとして、数値実験にて求めた冷却装置２０の出口における長手方向温度変動（長手方向の温度むら）を比較した図である。図４（ａ）の縦軸は冷却装置２０の出口における厚鋼板１の表面温度、横軸は厚鋼板の位置［ｍ］であり、図４（ｂ）の縦軸は、ダイナミック制御を実施した場合の温度変動とダイナミック制御を実施しない場合の温度変動との比、横軸は外乱周波数［Ｈｚ］である。図４（ａ）および図４（ｂ）に示したように、ダイナミック制御を実施した場合には、温度変動を半分に抑制することができる。
【００３９】
冷却装置２０は、厚鋼板１の上面側に配置された上面ヘッダー群２１、および、厚鋼板１の下面側に配置された下面ヘッダー群２２を有しており、冷却装置２０へと供給された冷却水は、上面ヘッダー群２１および下面ヘッダー群２２へと配分される。このときの配分は、上下水量比ＲＴＢ（＝上面ヘッダー群２１へと供給される冷却水の水量α／下面ヘッダー群２２へと供給される冷却水の水量β）に基づいて決定される。
【００４０】
上面ヘッダー群２１は、製造ラインの進行方向に複数の冷却ゾーンＡ、Ｂ、Ｃ、Ｄに分かれ、さらに各冷却ゾーンＡ、Ｂ、Ｃ、Ｄには、複数の上面ヘッダー２１ａ、２１ａ、…が厚鋼板１の進行方向に並列されている。図５は、上面ヘッダー２１ａを下方（厚鋼板１側）から見た図である。図５では、水が流れる方向を矢印で示している。
【００４１】
上面ヘッダー２１ａは、図５に示したように、厚鋼板１の板幅方向（図１の紙面奥／手前方向）に長く形成された横断面が矩形（大径）の管状部材であり、その下面にはノズル２１ｂ、２１ｂ、…が配置されている。また、上面ヘッダー２１ａの内側には仕切り板２１ｃ、２１ｃが設けられ、仕切られた各部位に枝給水管２１ｄ、２１ｄ、２１ｄが接続されている。枝給水管２１ｄ、２１ｄ、２１ｄへの水量の調整をバルブ２１ｅによって行うことにより、図５のグラフに示したように、厚鋼板１の幅方向の冷却水の流量分布を調整可能なように構成されている。
【００４２】
一方、下面ヘッダー群２２も、上面ヘッダー群２１と同様に、厚鋼板１の進行方向に複数の冷却ゾーンＡ、Ｂ、Ｃ、Ｄに分かれ、さらに各冷却ゾーンＡ、Ｂ、Ｃ、Ｄには、複数の下面ヘッダー２２ａ、２２ａ、…が厚鋼板１の進行方向に並列されている。ここで、厚鋼板１の下面は、上面ほど幅方向の温度むらが大きくない。そのため、下面ヘッダー群２２には、基本的に上面ヘッダー群２１のような冷却水の流量分布を調整する機能を付加しなくても良い。
【００４３】
＜幅方向温度分布改善＞
上記のダイナミック制御により、厚鋼板１の長手方向の温度むらを抑制することが可能になるが、温度むらには幅方向の温度むらも存在する。そのため、厚鋼板１の全長および全幅に亘る温度の均一性を確保するには、厚鋼板１の幅方向の温度むらも抑制する必要がある。そこで、冷却装置２０は、図５にも示したように、幅方向の冷却水の流量分布を調整可能なように構成された上面ヘッダー群２１が備えられる形態としている。このような形態とすることにより、冷却装置２０から厚鋼板１へ向けて供給された冷却水の、厚鋼板１の幅方向における流量分布（流量クラウン量）を適切に設定することが可能になり、これによって、幅方向の温度むらが所定値以下となるように制御することが可能になる。
【００４４】
厚鋼板１の幅方向中央部の温度は、下記式（１）に示す板厚方向１次元熱伝導方程式により表すことができる。
【００４５】
【数１】
0006558060.tif 000002
【００４６】
厚鋼板１の上表面および下表面における境界条件は、下記式（２）（３）により与える。
【００４７】
【数２】
0006558060.tif 000003
【００４８】
【数３】
0006558060.tif 000004
【００４９】
ここで、Ｔは温度［℃］、ｔは時間［ｓ］、ｘは板厚方向の座標［ｍ］、ｃは比熱［Ｊ／ｋｇ・ｓ］、ρは密度［ｋｇ／ｍ３］、λは熱伝導率［Ｗ／ｍ・℃］、ｑｗは水冷による熱流束［Ｗ／ｍ２］、ｑｅは対流による熱流束［Ｗ／ｍ２］、ｑｒは輻射による熱流束［Ｗ／ｍ２］を表し、ｕは上面を表す添字、ｄは下面を表す添字である。
【００５０】
水冷による熱流束ｑｗ、および、対流による熱流束ｑｅは、それぞれ、熱伝達率を用いて以下のように書くことができる。
【００５１】
【数４】
0006558060.tif 000005
【００５２】
【数５】
0006558060.tif 000006
【００５３】
ここで、Ｔｓは厚鋼板１の表面温度［℃］、Ｔｗは冷却水の温度［℃］、Ｔａは雰囲気の温度［℃］であり、Ｈｗは水冷熱伝達率、Ｈａは対流熱伝達率である。
【００５４】
また、輻射による熱流束ｑｒは、放射率εとステファン・ボルツマン定数σとを用いて以下にように書くことができる。
【００５５】
【数６】
0006558060.tif 000007
【００５６】
上記の式（１）を、各冷却ゾーンでの水冷条件を反映した境界条件の式（２）〜（６）の下で、有限差分法を用いて、オンラインで解くことにより、厚鋼板１の制御点に対する
温度を計算することができる。
【００５７】
ここで、水冷の熱伝達率Ｈｗは、下記式（７）に示されるように、冷却装置２０の水冷条件である各因子（冷却水の流量Ｗ、厚鋼板１の移動速度Ｖ、冷却水の水温Ｔｗ、厚鋼板１の表面温度Ｔｓ、冷却水の粘性係数μ等）の複雑な関数となっている。
【００５８】
【数７】
0006558060.tif 000008
【００５９】
厚鋼板の水冷に際しては、鋼板上面での水冷状態が幅方向で異なる。例えば、幅方向の滞留水（板上水）の高さや滞留水（板上水）の幅方向流速が異なっているので、幅方向に温度むらが発生する。そこで、図６に示すように、幅方向冷却特性モデルを用いて、幅方向温度むらを予測し、予測した温度むらが所定の値以下となるように、幅方向の流量クラウン量の設定値を求める。
【００６０】
図６に示したモデルでは、上面ヘッダーおよび下面ヘッダー（以下において、「上下ヘッダー」という。）に挟まれた厚鋼板１の部位の熱伝達率を計算する際に、１組の上下ノズル（上面ヘッダーに配置されたノズルおよび下面ヘッダーに配置されたノズル）の噴流方向を中心に厚鋼板上の領域を同心円状のセルに分割している。このような同心円状のセルに分割したモデルを用いるのは、ノズルから噴出された冷却水は同心円状に厚鋼板上に広がるためである。同心円状に分割したセルは、その分割幅が狭いほど精度の高い予測が可能になるが、計算負荷が大きくなるため、一定の幅を持ったセルに分割すれば良い。より具体的には、並列されるノズル間の距離を考慮して、各ノズルにおけるモデル同士が一部重複する形で形成されるように、モデルの最大半径（モデルで想定するセルの最大半径）を決定し、このモデルを５つ程度のセルに分割すれば良い。図６に示した例では、並列されるノズル間の距離が５０ｍｍであったため、最大半径２５．７ｍｍのモデルを形成した。ここで、各セルは、５．７ｍｍの幅を持つ４つのリング状セルと、中心に半径２．９ｍｍの１つの円状セルと、に分割した。
【００６１】
このようにして複数のセルに分割したら、セルごとに熱伝達率を算出する。熱伝達率を算出する際には、まず、各セルの水温を計算する。ノズル直下から離れるほど厚鋼板の温度の影響を受けて水温は上昇する。水温は、熱伝達計算で容易に求めることができる。
続いて、セルごとに核沸騰と膜沸騰との割合を求める。沸騰熱伝達現象は、膜沸騰の状態では熱伝達率が小さく、核沸騰の状態では熱伝達率が大きい。厚鋼板の温度が高いときは膜沸騰が主体であるが、低温になると核沸騰に遷移し、熱伝達率が急増する傾向がある。よって、この割合によって、熱伝達率が大きく異なる。極大熱流束点（核沸騰が起こる最高温度）と、極小熱流束点（膜沸騰が起こる最低温度）との関係は実験的に求めることができることが知られている。当該最高温度と当該最低温度との間の温度域は、核沸騰と膜沸騰とが同時に起こる遷移沸騰域と呼ばれる。厚鋼板の表面温度が、核沸騰が起こる最高温度以下であれば、核沸騰の割合が１００％、膜沸騰が起こる最低温度以上であれば膜沸騰の割合が１００％である。従って、厚鋼板の表面温度が遷移沸騰域にあれば、その割合に応じて核沸騰割合（膜沸騰割合）を決める。例えば、水温４０℃の時の当該最高温度が３５０℃、当該最低温度が６００℃であり、且つ、厚鋼板の表面温度が５００℃の場合、核沸騰割合は６０％（膜沸騰割合は４０％）である。この割合は計算により算出しても良いが、予めテーブルを作成し、そのテーブルを参照して割合を決定しても良い。
【００６２】
そして、この割合を用いてセルごとに熱伝達率を算出する。算出は核沸騰の場合の熱伝
達率Ｈｎ、および、膜沸騰の場合の熱伝達率Ｈｆをそれぞれ計算し、その割合から各セルの熱伝達率Ｈを算出する。より具体的には、核沸騰、膜沸騰それぞれの場合の熱伝達率は下記式（８）、（９）で計算されるので、これらに沸騰状態の割合を加味し、式（１０）により熱伝達率Ｈを算出する。
【００６３】
【数８】
0006558060.tif 000009
【００６４】
【数９】
0006558060.tif 000010
【００６５】
【数１０】
0006558060.tif 000011
【００６６】
ここで、Ｎｕｎは核沸騰ヌッセルト数、Ｎｕｆは膜沸騰ヌッセルト数、λｗは水の熱伝導率［Ｗ／ｍ・℃］、Ｌは代表長さ［ｍ］、ΔＴｓａｔは過熱度［℃］、ΔＴｓｕｂはサブクール度［℃］、Ｔｓは鋼板の表面温度［℃］、Ｔｗは噴流水温［℃］、Ｂは核沸騰割合（０≦Ｂ≦１）をそれぞれ表す。
【００６７】
最終的にセルごとに算出した熱伝達率Ｈについて平均値（平均熱伝達率）を計算し、これを上下ヘッダーに挟まれた厚鋼板１の部位の熱伝達率とする。ここで、平均値の計算は単純平均でもよいが、より正確な予測をするためにセルの幅を考慮して積分した平均値を取ることが好ましい。
【００６８】
以上、１つのノズルのモデルに関して説明したが、すべてのノズルは同じように計算式により計算される。噴射される冷却水の水量密度が同じであれば、計算値を流用できるが、冷却水の水量密度が異なれば別途計算が必要になる。例えば、冷却水の幅方向流量分布の形状をクラウン状にする（厚鋼板の幅方向に冷却水の流量分布を設ける）場合には、厚鋼板の幅方向両端と中央部とでは水量密度が異なるので、当該水量密度にあわせた計算が必要である。
【００６９】
一方、隣接する上下ヘッダー間に該当する厚鋼板の部位では、厚鋼板の板幅方向の位置における冷却水流速を加味して熱伝達率を計算する。例えば、厚鋼板の中央部を基準として幅方向にｘ軸を取ったと仮定し、板幅方向位置ｘにおける冷却水の流速νｐを下記式（１１）に示すようなｘの２次式で表したモデルを用いて計算すればよい。νｐはレイノルズ数Ｒｅのパラメータであるので、Ｒｅは下記式（１２）のようになる。このＲｅをヌッセルト数に反映させ、式（１０）〜式（１２）を用いて熱伝達率Ｈを計算することができる。
【００７０】
【数１１】
0006558060.tif 000012
【００７１】
【数１２】
0006558060.tif 000013
【００７２】
ここで、ａ１、ａ２、ａ３は係数を表す。また、Ｌは代表長さ［ｍ］、ρは冷却水密度［ｋｇ／ｍ３］、μは冷却水の粘性係数［ｍ・ｓ／ｋｇ］である。
【００７３】
以上の２つのモデルを用いることにより、熱伝達率を計算することができ、幅方向表面温度むらを予測することができる。
【００７４】
図７に、幅方向温度むらを抑制するために、流量クラウン量を適正に設定した場合と、流量クラウン量を全く設定せずに幅方向流量を一定にした場合との比較を示す。図７（ａ）の縦軸は厚鋼板の上面温度［℃］であり、横軸は板幅中央から端部までの距離である。ここでは、冷却装置出側の厚鋼板の温度、冷却ゾーンＡ出側の厚鋼板の温度、および、冷却ゾーンＢ出側の厚鋼板の温度について、流量クラウン量を調整した場合を記号（■、◇、▲）で示し、流量クラウン量を調整しなかった場合を実線で示した。
図７（ｂ）は、流量クラウン量の調整形態を説明する図である。図７（ｂ）の縦軸は流量クラウン量を調整した時の水量密度［Ｌ／ｍ２・ｓ］であり、横軸は板幅中央からの距離［ｍ］である。
図７（ｃ）は、各冷却ゾーン（Ａ、Ｂ、Ｃ、Ｄ）および冷却装置の出側における厚鋼板端部の温度低下量［℃］を棒グラフで表した図である。
【００７５】
図７（ａ）〜（ｃ）に示したように、流量クラウン量の設定を行った場合には、板幅端部の温度降下が大幅に抑えられた。この結果から、流量クラウン量の調整は、幅方向温度むらの抑制に効果があることがわかる。
【００７６】
＜平坦度改善＞
厚鋼板の製造では平坦度制御が重要になる。一定以上の平坦度を確保できない場合には厚鋼板製造後に矯正作業が必要となり、工数および製造コストが増加する。
【００７７】
厚鋼板の平坦度は上下水量比に依存する。上下水量比の決定に際しては、過去の製造実績に基づいて決めれば良い。より具体的には、過去の製造実績が保存されている記憶部１１から、厚鋼板の操業条件に近い製造実績データを抽出し、製造実績データと平坦度合格率（矯正作業を行わなかった厚鋼板の割合）との関係を求め、この関係から上下水量比を決定すれば良い。上下水量比は、例えば、特願２０１１−１４９８３２に開示されている手順で決定することができる。
【００７８】
ここで、操業条件に近い製造実績データの抽出では、操業条件として板厚、板幅、板長、冷却開始温度、冷却速度、冷却停止温度指示、カーボン当量、成分含有量、圧延ロール磨耗量、圧延デスケーリング回数などを用い、これらの条件値が近い過去の製造実績データをもって製造実績データとする。そして、抽出した製造実績データから、上下水量比、および、平坦度合格率の分布（ヒストグラムで良い）を求め、平坦度合格率が最も高くなる上下水量比を望ましい上下水量比とすれば良い。抽出する製造実績データ数は１００〜５００個程度が好ましい。これより多いと操業条件として近くない実績データをも抽出することになるため、適切な上下水量比を決定できなくなることがある。
【００７９】
図８に、特定の厚鋼板についての上下水量比ＲＴＢと平坦度との関係を示す。平坦度については平坦度合格率として、製造した厚鋼板の枚数に対する一定以上の平坦度を確保で
きた厚鋼板の枚数の割合を縦軸に示している。横軸は上下水量比ＲＴＢである。図８より、上下水量比ＲＴＢは０．７２近辺が望ましいことが分かる。
【００８０】
一般に、図９Ａに示すように、平坦度合格率は上下水量比ＲＴＢが１以下でピークを取り、高すぎても、低すぎても平坦度の合格率は悪化する。よって、製品ごとに適切な上下水量比ＲＴＢとすることが求められる。
図９Ｂに、厚鋼板の冷却に際して、前段冷却ゾーンの水量を少なくするとともに後段冷却ゾーンの水量を多くすることにより、前後段冷却比ＲＦＢを変更した場合の特定の厚鋼板についての、上下水量比ＲＴＢと平坦度合格率との関係を示す。図９Ａおよび図９Ｂの縦軸は平坦度合格率であり、図９Ａおよび図９Ｂの横軸は上下水量比である。図９Ｂより、上下水量比ＲＴＢは０．９５近辺が望ましいことが分かる。図９Ａおよび図９Ｂより、特定の厚鋼板でも前後段冷却比を変えると、冷却後平坦度が良好となる望ましい上下水量比は大きく変化することが分かる。
また、図９Ｃに、前後段冷却比を変えた２つの冷却パターン（パターン１の前後段冷却比ＲＦＢ１＜パターン２の前後段冷却比ＲＦＢ２）において、冷却後平坦度が良好であった上下水量比の実績データを示す。パターン２では、適正な上下水量比がパターン１よりも高いことが、図９Ｃに示されている。図９Ｃに示したように、前後段冷却比ＲＦＢが変わると、冷却後平坦度を良好にするための上下水量比が大きく変わる。そのため、前後段冷却比ＲＦＢを変える場合には、製造実績に関する情報として、前後段冷却比を抽出し、上下水量比を決定することが好ましいことが分かる。
【００８１】
＜温度むらと平坦度との相関関係＞
以上、長手方向温度むら、幅方向温度むら、および、平坦度についてそれぞれ述べたが、お互い相関関係があり、それぞれ独立して実施した場合には適切な冷却制御が行えない。このため、以下のように水冷制御を行う必要がある。
【００８２】
図１０に、冷却制御の概要図を示す。
過去の製造実績データを用いて上下水量比を求める際には、記憶部１１から、当該冷却対象材の操業条件に近い過去実績データを抽出し、その抽出された過去実績データの上下水量比と平坦度合格率との関係を求め、この関係から上下水量比を決定（算出）する。
【００８３】
上下水量比の決定に続き、流量クラウン量を決定する。流量クラウン量を決定する際には、先に決定した上下水量比を用いる。上下水量比をパラメータとして流量クラウン量を決定することで、平坦度の悪化を回避することができる。そして、最後に、上下水量比および流量クラウン量を用いて、冷却装置にてダイナミック制御を行う。
【００８４】
以上のような工程を通して、平坦度が良好であり、温度むらが低減され、均一な品質を有する厚鋼板を製造することができる。図１１は、本発明の厚鋼板の製造方法を説明する図である。図１１に示したように、本発明の厚鋼板の製造方法は、厚鋼板を仕上圧延する工程Ｓ２１と、工程Ｓ２１で仕上圧延された厚鋼板を冷却する工程Ｓ２２と、を有し、当該工程Ｓ２２で、上記本発明の厚鋼板の冷却制御方法が適用される。
なお、冷却後の厚鋼板は平坦度を測定し、製造条件等と平坦度とを紐付けしてデータベースに保存する。データを蓄積することにより、次以降の厚鋼板の製造時に、より最適な上下水量比を算出できるようになる。
【００８５】
図１２は、本発明の厚鋼板の製造装置１００を説明する図である。図１２では、厚鋼板の製造装置１００に備えられる各装置を簡略化して示しており、図１と同様に構成されるものには、図１で使用した符号と同一の符号を付している。
図１２に示したように、本発明の厚鋼板の製造装置１００は、厚鋼板を仕上圧延する圧延機３０と、圧延機３０で圧延された厚鋼板の温度を測定する温度計２と、圧延機３０で圧延された厚鋼板を冷却する冷却装置２０と、該冷却装置２０の動作を制御する冷却制御装置１０と、冷却装置２０で冷却された厚鋼板の温度を測定する温度計３と、を備えている。厚鋼板の製造装置１００は、本発明の厚鋼板の冷却制御装置１０によって動作を制御される冷却装置２０を用いて厚鋼板を冷却するので、平坦度が良好であり、温度むらが低減され、均一な品質を有する厚鋼板を製造することができる。
【００８６】
本発明に関する上記説明では、上下水量比決定部１２、厚鋼板移動速度予測部１４、冷却ゾーン通過所要時間計算部１５、現在温度計算部１６、温度分布予測部１７、流量分布決定部１８、および、制御部１９を別々に示したが、本発明の厚鋼板の冷却制御装置は当該形態に限定されず、これらすべての機能を兼ね備えた１つの制御部が備えられる形態とすることも可能である。
【符号の説明】
【００８７】
１…厚鋼板
２、３…温度計
１０…厚鋼板の冷却制御装置
１１…記憶部（記憶手段）
１２…上下水量比決定部
１３…トラッキング部
１４…厚鋼板移動速度予測部
１５…冷却ゾーン通過所要時間計算部
１６…現在温度計算部
１７…温度分布予測部
１８…流量分布決定部
１９…制御部
２０…冷却装置
２１…上面ヘッダー群
２１ａ…上面ヘッダー
２１ｂ…ノズル
２１ｃ…仕切り板
２１ｄ…枝給水管
２１ｅ…バルブ
２２…下面ヘッダー群
２２ａ…下面ヘッダー
３０…圧延機
１００…厚鋼板の製造装置
【図１】
0006558060.tif 000014
【図２】
0006558060.tif 000015
【図３】
0006558060.tif 000016
【図４】
0006558060.tif 000017
【図５】
0006558060.tif 000018
【図６】
0006558060.tif 000019
【図７】
0006558060.tif 000020
【図８】
0006558060.tif 000021
【図９Ａ】
0006558060.tif 000022
【図９Ｂ】
0006558060.tif 000023
【図９Ｃ】
0006558060.tif 000024
【図１０】
0006558060.tif 000025
【図１１】
0006558060.tif 000026
【図１２】
0006558060.tif 000027